(57)【要約】【課題】簡単な動作により、全画面領域或いは一部領域の表示を一斉に、瞬間的に変更することができる表示装置の駆動回路及び表示装置を提供する。【解決手段】実施形態によれば、複数の画素が、画像データに応じたデジタル信号を記憶するメモリと前記メモリの出力データに基づいて駆動される表示素子とを備える。記憶制御回路が、前記メモリに、該メモリに対応する信号線からのデータを記憶させ、表示制御回路が、前記メモリに記憶された前記データに基づいた表示信号又は非表示信号を前記表示素子に与える。モード制御回路が、前記表示制御回路を制御し、前記表示装置の表示領域を第２表示状態に設定することができる。このとき、前記モード制御回路は前記画像データに依存しない信号を前記表示素子に与えて、前記表示領域を第２表示状態に設定する。【選択図】図７
2017083768.tif 000002
【特許請求の範囲】
【請求項１】
複数の画素が、それぞれ画像データに応じたデジタル信号を記憶するメモリと前記メモリの出力データに基づいて駆動される表示素子とを備える表示装置の駆動回路であって、
前記メモリに、該メモリに対応する信号線からの前記データを記憶させる記憶制御回路と、
前記メモリに記憶された前記データに基づいて、該メモリに対応する前記表示素子に表示信号又は非表示信号を与える表示制御回路と、を備え、
前記表示装置の表示領域を、第１表示状態から第２表示状態に設定し、
前記第２表示状態に設定する際に、前記画像データに依存しない信号を前記表示素子に与える、
表示装置の駆動回路。
【請求項２】
内部カウンタ及び又は外部からの制御信号に基づいて、前記第２表示状態の持続時間及び又は繰り返し周波数を設定する、
請求項１記載の表示装置の駆動回路。
【請求項３】
前記表示素子は液晶表示素子であり、前記表示領域を前記第１表示状態の第１モードから前記第２表示状態にする際に、複数の前記表示素子の光透過電位を供給する第２モード、又は、複数の前記表示素子の光遮光電位を供給する第３モードに切り替えを行うものであり、
前記表示素子の共通電極に与えられている信号の電圧波形に対する、前記表示素子の画素電極に与える前記表示信号又は前記非表示信号の電圧波形を切り替えることで、第１モードから、前記第２モード、又は、前記第３モードへの切り替えを行う、
請求項１乃至２のいずれかに記載の表示装置の駆動回路。
【請求項４】
前記第２表示状態は、
前記メモリの出力データを反転した反転データに対応するデータを表示する第２表示状態である
請求項１乃至４のいずれかに記載の表示装置の駆動回路。
【請求項５】
複数の前記表示素子は、赤、緑、青フィルタに対応し、前記第２表示状態は、赤、緑、青、黒又は白の単色表示状態を含む、
請求項１乃至４のいずれかに記載の表示装置の駆動回路。
【請求項６】
画素電極と共通電極と表示素子と、前記画素電極への電圧が供給される第１駆動線と第２駆動線と、を有する表示装置の駆動回路であって、
前記第１駆動線に対して、前記共通電極に供給する信号とは逆位相の信号を供給し、前記第２駆動線に対して、前記共通電極に供給する信号と同位相の信号を供給する第１モードと、
前記第１駆動線及び前記第２駆動線に対して、前記共通電極に供給する信号と逆位相の信号を供給する第２モード、又は、前記第１駆動線及び前記第２駆動線に対して、前記共通電極に供給する信号とは同位相の信号を供給する第３モードを備える、表示装置の駆動回路。
【請求項７】
前記第１駆動線に対して、前記共通電極に供給する信号とは同位相の信号を供給し、前記第２駆動線に対して、前記共通電極に供給する信号とは逆位相の信号を供給する第４モードを備える、請求項６に記載の表示装置の駆動回路。
【請求項８】
画像データに応じたデジタル信号が供給されるデジタル信号線と、
前記デジタル信号を記憶し、画素に配置されたメモリと、
駆動回路から第１信号を導入する第１駆動線と第２信号を導入する第２駆動線と、
前記画素電極に電気的に接続され、前記第１信号又は前記第２信号を、前記メモリに記憶された前記デジタル信号に応じ前記画素電極に選択的に供給する画素電位選択回路と、を有する画素回路が形成された表示装置であって、
前記画素電極と対向し、共通信号が供給され、前記画素電極との間で液晶層を駆動する電界を発生させる共通電極と、
前記メモリに前記デジタル信号を記憶させる記憶期間と、前記メモリに記憶された前記デジタル信号に応じて、前記ゲート回路が前記第１信号又は前記第２信号を前記画素電極に選択的に供給する表示期間と、をセットする表示制御回路と、を備え、
前記表示期間に、前記画像データを表示する表示領域の画像を変更する、表示装置。
【請求項９】
前記表示期間に、白色画像又は黒色画像を用いた点滅表示を行う、請求項８に記載の表示装置。
【請求項１０】
前記表示期間に前記第１信号又は前記第２信号の電圧波形を他の電圧波形に切り替えた第２表示状態を設定する、請求項８又は９に記載の表示装置。
【請求項１１】
第１モードと、第２モードとを有し、
前記第１モードにおいて、前記第1信号が供給される電位は光透過電位であり、前記第２信号が供給される電位は光遮蔽電位であり、
前記第２モードにおいて、前記第１信号の電位及び前記第２信号の電位は、光透過電位であり、
前記表示期間において前記第１モードから前記第２モードに切り替える、請求項８乃至１０のいずれかに記載の表示装置。
【請求項１２】
第１モードと、第３モードとを有し、
前記第１モードにおいて、前記第1信号が供給される場合の電位は光透過電位であり、前記第２信号が供給される場合の電位は光遮蔽電位であり、
前記第３モードにおいて、前記第１信号の電位及び前記第２信号の電位は、光遮蔽電位であり、
前記表示期間において前記第１モードから前記第３モードに切り替える、請求項８乃至１１のいずれかに記載の表示装置。
【請求項１３】
第１モードと、第４モードとを有し、
前記第１モードにおける前記第１信号と、前記４モードにおける第２信号が同一の信号であり、
前記第４モードにおける前記第１信号と、前記１モードにおける第２信号が同一の信号であり、
前記モード制御回路が、前記表示期間において前記第１モードから前記第４モードに切り替える、
請求項８乃至１２のいずれかに記載の表示装置。
【請求項１４】
前記表示期間において、外部からの無線通信によってモードを切り替える、
請求項８乃至１３のいずれかに記載の表示装置。
【請求項１５】
広告情報掲載用である請求項８乃至１４のいずれかに記載の表示装置。
【発明の詳細な説明】
【技術分野】
【０００１】
この実施形態は、表示装置の駆動回路及び表示装置に関する。
【背景技術】
【０００２】
色表示可能な液晶表示装置において、表示パネルは、複数の画素が行方向（以下Ｘ方向と称する）と列方向（以下Ｙ方向と称する）とに配列されている。Ｘ方向は、Ｙ方向と交差する方向である。各画素（画素回路と称してもよい）は、それぞれカラーフィルタを備えており、赤色（Ｒ）副画素、緑色（Ｇ）副画素、及び青色（Ｂ）副画素として動作する。
【０００３】
また、副画素にメモリを有する表示パネルが開発されている。
【０００４】
液晶表示装置においては、複数の画素が行方向（Ｘ方向）と列方向（Ｙ方向）とに配列されている。行方向（Ｘ方向）は、列方向（Ｙ方向）と交差する方向である。例えばＸ方向に平行な複数本のゲート線が、Ｙ方向に一定間隔をおいて配置される。また、Ｙ方向に平行な複数のソース線が、Ｘ方向に一定間隔をおいて配置される。上記の各画素は、複数のゲート線と複数のソース線との各交差部付近に配置される。
【０００５】
ところで、液晶表示装置には、各副画素にデジタルメモリを持つものがある。各副画素がデジタルメモリを持つ液晶表示装置は、例えば装置の表示領域の全体に静止した画像を長期間表示する場合、全てのソース線に対して頻繁に電圧を供給する（画素信号の書き換えを行う）必要がない。このため、装置の低消費電力化が得られる。また、表示領域の一部に静止した画像が表示され、残りの一部の領域に動画が表示される場合も、全てのソース線に対して頻繁に電圧を供給する必要がない。この場合は、前記一部の領域のソース線に電圧（動画用の画素信号）を供給すればよいために、装置の低消費電力化が得られる。
【先行技術文献】
【特許文献】
【０００６】
【特許文献１】特開２００８−２５６７６２号公報
【特許文献２】特開２０１３−１８６２９４号公報
【発明の概要】
【発明が解決しようとする課題】
【０００７】
表示装置において、全画面を一斉に例えば白表示、或いは黒表示に切り替えたい場合がある。通常画像表示状態から全面黒或いは白の表示切替えが行われることで、表示装置のアイキャッチ効果、つまり目立ち効果を高めることができる。例えば、店の商品陳列棚において商品案内を行う表示装置により、上記の表示切替えを行うと、商品に対する顧客の注意をひきつけることができる。
【０００８】
ところで表示切替えを行うためには、表示領域全体の副画素のメモリデータを、黒用或いは白用に書き換える必要がある。アクティブマトリックス駆動の場合、垂直方向へ順次ラインを指定し、各ラインに黒或いは白用データを書き込む。このために、全画面が書き換わるまでに時間が必要となり、またその時間分の電力消費が発生する。また、書き換え周波数が遅いと、書き換え過程の画像が残像として視認される。
【０００９】
そこでこの実施形態では、簡単な動作により、所定領域（全画面領域或いは一部領域）の表示を一斉に、しかも数μ秒〜数十秒程度の瞬間的な速さで変更することができ、ひいては電力消費の低減を得ることができる表示装置の駆動回路及び表示装置を提供することを目的とする。
【課題を解決するための手段】
【００１０】
本実施形態は、複数の画素が、それぞれ画像データに応じたデジタル信号を記憶するメモリと前記メモリの出力データに基づいて駆動される表示素子とを備える表示装置の駆動回路である。そして、記憶制御回路が、前記メモリに、該メモリに対応する信号線からのデータを記憶させ、表示制御回路が、前記メモリに記憶された前記データに基づいた表示を前記表示素子が得るために、該メモリに対応する前記表示素子に表示信号又は非表示信号を与える。さらにモード制御回路が、前記表示制御回路を制御し、前記表示装置の表示領域を第２表示状態に設定することができる。このとき、前記モード制御回路は前記画像データに依存しない信号を前記表示素子に与えて、前記表示領域を第２表示状態に設定する。
【図面の簡単な説明】
【００１１】
【図１】図1は一実施形態である信号供給回路及び表示装置の全体的構成を概略的に示す図である。
【図２Ａ】図２Ａはメモリを有する画素の基本構成を示す回路図である。
【図２Ｂ】図２Ｂはメモリを有する画素において、メモリにデータが書き込まれる際の動作例を示す図である。
【図３】図３はメモリを有する画素にデータが記憶された期間（表示期間）の状態例を示す図である。
【図４】図４はメモリを有する画素にデータが記憶された期間（表示期間）の動作例を説明するために示した波形及び記憶データの例を示す図である。
【図５】図５は図２Ａの回路構成をさらに具体化して示す回路図である。
【図６Ａ】図６Ａは、一実施形態により表示パネルに特殊表示がなされた際の一例を示す図である。
【図６Ｂ】図６Ｂは、一実施形態により表示パネルに特殊表示がなされた際の他の例を示す図である。
【図６Ｃ】図６Ｃは、一実施形態により表示パネルに特殊表示がなされた際のまた他の例を示す図である。
【図７】図７は、一実施形態における駆動回路の具体的な構成例を示す回路図である。
【図８】図８は、図７の回路のスイッチの動作形態を示す説明図である。
【図９】図９は、図６Ａ、図６Ｂ及び図６Ｃの各表示を得るための信号ＦＲＰ、ｘＦＲＰ、ＶＣＯＭ及びｘＶＣＯＭの波形の例を示す図である。
【図１０】図１０は、一実施形態における駆動回路を外部制御するための一構成例を説明するための図である。
【図１１】図１１は、他の実施形態における駆動回路の具体的な構成例を示す回路図である。
【図１２Ａ】図１２Ａは、他の実施形態により表示パネルに特殊表示がなされた際の一例を示す図である。
【図１２Ｂ】図１２Ｂは、他の実施形態により表示パネルに特殊表示がなされた際の他の例を示す図である。
【図１３】図１３はメモリを有する画素の他の基本構成を示す回路図である。
【図１４Ａ】図１４Ａは、図１３の画素を使用した表示装置において特殊表示がなされた際の表示例を示す図である。
【図１４Ｂ】図１４Ｂは、図１３の画素を使用した表示装置において特殊表示がなされた際の他の表示例を示す図である。
【図１４Ｃ】図１４Ｃは、図１３の画素を使用した表示装置において特殊表示がなされた際のさらに他の表示例を示す図である。
【図１５】図１５は、さらに他の実施形態を示す図である。
【図１６】図１６は、メモリを有する画素のさらに他の基本構成を示す回路図である。
【図１７】図１７は、図１６に示した回路を駆動する駆動回路の具体的な構成例を示す回路図である。
【図１８Ａ】図１８Ａは、上記した実施形態が適用された値札装置の外観の一例を示す図である。
【図１８Ｂ】図１８Ｂは、図１８Ａに示す値札装置が特殊表示状態に変化した場合の一例を示す図である。
【図１９Ａ】図１９Ａは、複数の階調を表現できる副画素の基本構成例を示す図である。
【図１９Ｂ】図１９Ｂは、図１９Ａに示した副画素により表現できる階調の種類を説明する説明図である。
【図２０Ａ】図２０Ａは、階調表現できる表示パネルの表示例を説明する説明図である。
【図２０Ｂ】図２０Ｂは、図２０Ａの表示パネルが特殊表示に切り替わった際の表示例を説明する説明図である。
【発明を実施するための形態】
【００１２】
以下、実施の形態について図面を参照して説明する。実施形態の開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【００１３】
図１は、表示パネルＰＮＬの構成一例を概略的に示す図である。表示装置は、アクティブマトリクスタイプの表示パネルＰＮＬを備えている。表示パネルＰＮＬは、第１基板ＳＵＢ１と、第１基板ＳＵＢ１に対向配置された第２基板ＳＵＢ２と、第１基板ＳＵＢ１と第２基板ＳＵＢ２との間に保持された液晶層ＬＱと、を備える。第２基板ＳＵＢ２は、一点鎖線で示している。
【００１４】
表示エリアＤＡは、第１基板ＳＵＢ１と第２基板ＳＵＢ２との間に液晶層ＬＱが保持された領域に相当し、例えば、四角形状であり、この領域にはマトリクス状に配置された複数の副画素ＰＸ（ＰＸ１１，ＰＸ１２，・・・・）が配置されている。
【００１５】
第１基板ＳＵＢ１は、表示エリアＤＡにおいて、第１方向Ｘに沿って延出した複数のゲート線Ｇ（Ｇ１〜Ｇｎ）、第１方向Ｘのゲート線Ｇに交差し、第２方向Ｙに沿って延出した複数の信号線Ｓ（Ｓ１〜Ｓｍ）を備えている。
【００１６】
各ゲート線Ｇ（Ｇ１〜Ｇｎ）は、表示エリアＤＡの外側に引き出され、ゲート線駆動回路（第１駆動回路）ＧＤに接続されている。各信号線Ｓ（Ｓ１〜Ｓｍ）は、表示エリアＤＡの外側に引き出され、ソース線駆動回路（第２駆動回路）ＳＤに接続されている。第１駆動回路ＧＤ及び第２駆動回路ＳＤは、例えばその少なくとも一部が第１基板ＳＵＢ１上に形成され、制御装置（駆動ＩＣチップ或いは液晶ドライバと称される場合もある）ＣＰと接続されている。図示した例では、制御装置ＣＰは、表示パネルＰＮＬの表示エリアＤＡの外側において、第１基板ＳＵＢ１上に実装されている。
【００１７】
第２駆動回路ＳＤは、制御装置ＣＰから受け取った画素信号を、この画素信号が対応する信号線を介して対応する副画素に供給するために、マルチプレクサＭＰＸを備えている。つまりマルチプレクサＭＰＸは、受け取った画素信号を適切な信号線に出力する。
【００１８】
制御装置ＣＰは、第１駆動回路ＧＤ及び第２駆動回路ＳＤなどを制御するために、クロック及びタイミングパルス生成回路（コントローラ或いはシーケンサと称してもよい）を内蔵する。クロック及びタイミングパルス生成回路は、表示パネルＰＮＬ全体を同期動作するのに必要なタイミングパルスなどを生成している。このタイミングパルス生成回路は、例えば駆動回路１２０に含まれている。
【００１９】
また制御装置ＣＰは、信号供給回路１１０を含む。信号供給回路１１０は、外部から受け取った画像データを内部同期させ、第２駆動回路ＳＤに出力画像データを与えることができる。信号供給回路１１０は、例えば駆動回路１２０に含まれるモード制御回路１２１１により制御され、画像データのタイプに応じて、動作モードを切り替えることができる。画像データのタイプとは、画像データが例えば、赤（Ｒ），緑（Ｇ），青（Ｂ）、の画像データである場合、赤（Ｒ），緑（Ｇ），青（Ｂ）、白（Ｗ）の画像データである場合、赤（Ｒ），緑（Ｇ），青（Ｂ）、ダミー（ＤＵＭ）の画像データである場合、或いは単なる１ビットの画像データである場合などがある。なお、必要に応じて信号供給回路１１０は、受け取った画像データにガンマ補正をしても良い。
【００２０】
共通電極ＣＥは、第２基板ＳＵＢ２に透明材質で形成され、表示エリアＤＡの全域に対応しており、例えば、複数の副画素ＰＸに対して共通に形成されている。共通電極ＣＥは、表示エリアＤＡの外側に電気的に引き出され、制御装置ＣＰ内部の給電部に接続されている。給電部は、共通電極ＣＥに一定の共通電圧（共通信号と称してもよい）ＶＣＯＭを与える。共通電極ＣＥは画素電極ＰＥとの間で液晶層を駆動するための電界を発生させることができる。
【００２１】
複数の副画素ＰＸには、色フィルタが所定の規則で配列されている。色フィルタは、液晶層ＬＱを挟むように画素電極に対向し、第２基板ＳＵＢ２に形成されている。
【００２２】
上記した制御装置ＣＰについてさらに説明する。この制御装置ＣＰは、駆動回路１２０を有し、この駆動回路１２０は、例えば、表示パネルＰＮＬの表示モードを制御するモード制御回路１２１１、各副画素ＰＸのメモリにデータを記憶させる記憶制御回路１２１１、前記メモリに保存されたデータに基づく表示を表示素子が得るための表示信号又は非表示信号を前記表示素子に与える表示制御回路１２１３を備える。この駆動回路１２０の動作に関しては、後でさらに詳しく説明する。
【００２３】
また制御装置ＣＰは、中央演算装置（以後ＣＰＵと略する）１３０を含む。ＣＰＵ１３０は、電源オンオフ操作信号、操作ボタン（表示部の表示ボタンも含む）からの操作信号、外部装置からのデータ入力信号などを受付けて、表示装置の動作を制御する。この場合、メモリ（図示せず）に記憶されているソフトウエアプログラムにもとづいて表示装置の動作シーケンスを設定する。
【００２４】
図２Ａは、メモリを有する前記副画素ＰＸ（又は画素或いは画素回路と称してもよい）の構成を示している。この副画素ＰＸにおいて、信号線ＳにスイッチＳＷ０の一端が接続され、このスイッチＳＷ０の他端がメモリＭ０に接続されている。メモリＭ０は、例えばインバータＩＮ１、ＩＮ２を有し、このインバータＩＮ１、ＩＮ２は逆方向に並列接続されている。インバータＩＮ１の入力端子（インバータＩＮ２の出力端子）は、スイッチＳＷ１の制御端子に接続されている。またインバータＩＮ１の出力端子（インバータＩＮ２の入力端子）は、スイッチＳＷ２の制御端子に接続されている。スイッチＳＷ１の入力端子は、第１信号ラインＰｏａに接続され、出力端子は、液晶層に形成された表示素子の画素電極ＰＥに接続されている。またスイッチＳＷ２の入力端子は、第２信号ラインＰｏｂに接続され、出力端子は、前記画素電極ＰＥに接続されている。第１信号ラインＰｏａには、第１信号（原則表示用信号）ｘＦＲＰが供給され、第２信号ラインＰｏｂには、第２信号（原則非表示用信号）ＦＲＰが入力している。これらの第１信号ｘＦＲＰと第２信号ＦＲＰは、互いに逆位相の関係となる交流信号であり、図１で説明した制御装置ＣＰで生成されている。前記画素電極ＰＥに対向する共通電極ＣＥには、制御装置ＣＰから共通信号ＶＣＯＭが供給されている。共通信号ＶＣＯＭは、第２信号ＦＲＰと同位相の信号交流信号である。スイッチＳＷ１及びＳＷ２により構成される回路は、画素電位選択回路ＰＳと称することができる。この画素電位選択回路ＰＳは、メモリＭＯの記憶データに応じて信号ｘＦＲＰ或いはＦＲＰを選択することができる。
【００２５】
図２Ｂは、上記した副画素ＰＸのメモリＭ０にデータ“１”が書き込まれる際の動作例を示している。ゲート線ＧにゲートパルスＧＡＴＥＤが供給されるとスイッチＳＷ０がオンし、またこのとき信号線Ｓに信号ＳＩＧ（データ“１”）が出力されると、メモリＭ０にデータ“１”（＝ハイレベル）が書き込まれ記憶される。この時、インバータＩＮ１は、入力を反転するので、このインバータＩＮ１の出力は“０”（＝ローレベル）となる。インバータＩＮ２の入力はローレベルであるからこのインバータＩＮ２の出力はハイレベルとなる。ここで、スイッチＳＷ０オフされると、メモリＭ０は、データ“１”を記憶する。
【００２６】
即ち、図３に示すように、スイッチＳＷが０オフし、メモリＭ０にデータ“１”が記憶されると、メモリＭ０の出力によりスイッチＳＷ１がオン、スイッチＳＷ２がオフとなる。この結果、表示素子（液晶層）ＬＱの画素電極ＰＥには、第１信号ｘＦＲＰが印加され、共通電極ＣＥには共通信号ＶＣＯＭが印加される。
【００２７】
図４は上記した副画素ＰＸにおいて、画素電極ＰＥと共通電極ＣＥと間に生じる電位差の変化を示している。図４の時間ｔ０〜ｔ１では、画素電極ＰＥに第１信号ｘＦＲＰが印加され、共通電極ＣＥに共通信号ＶＣＯＭが印加されている様子を示している。第１信号ｘＦＲＰと共通信号ＶＣＯＭとは、逆位相の関係にあるから、画素電極ＰＥと共通電極ＣＥの間には、高い電位差が生じている。この時、表示素子は表示状態を形成する。
【００２８】
ここで、メモリＭ０にデータ“０”が記憶されたとする。すると、スイッチＳＷ１がオフし、スイッチＳＷ２がオンする。このため、図４の時間ｔ１〜ｔ２に示すように、画素電極ＰＥに第２信号ＦＲＰが印加され、共通電極ＣＥに共通信号ＶＣＯＭが印加される。このときは第２信号ＦＲＰと共通信号ＶＣＯＭとは、同位相の関係にあるから、画素電極ＰＥと共通電極ＣＥの間は、低い電位差若しくは電位差が無い状態となる。この時、表示素子は非表示状態を形成する。
【００２９】
図５は、図２Ａ、図２Ｂ、図３に示した副画素の回路構成をさらに詳しく示した図である。スイッチＳＷ０は、例えば薄膜トランジスタＱ０で構成されている。またメモリＭ０は、薄膜トランジスタＱ１、Ｑ２、Ｑ３及びＱ４で構成されている。画素電位選択回路ＰＳを構成しているスイッチＳＷ１は、薄膜トランジスタＱ５、Ｑ６で構成され、スイッチＳＷ２は、薄膜トランジスタＱ７，Ｑ８で構成れている。メモリＭ０にデータ“１”が書き込まれると、薄膜トランジスタＱ１，Ｑ４がオンし、薄膜トランジスタＱ２，Ｑ３がオフする。メモリＭ０の出力により、薄膜トランジスタＱ５、Ｑ６がオンし、薄膜トランジスタＱ７、Ｑ８がオフする。メモリＭ０にデータ“０”が書き込まれると、薄膜トランジスタＱ２，Ｑ３がオフし、薄膜トランジスタＱ１，Ｑ４がオフする。メモリＭ０の出力により、薄膜トランジスタＱ５、Ｑ６がオフし、薄膜トランジスタＱ７、Ｑ８がオンする。
【００３０】
図６Ａは、一実施形態により表示パネルＰＮＬの表示エリアＤＡに特殊表示がなされた際の一例を示す。表示エリアＤＡの表示状態は、表示ＤＡ＿ａ１、ＤＡ＿ａ２、ＤＡ＿ａ３、ＤＡ＿ａ４、ＤＡ＿ａ５、・・・と時間経過とともに変化している。表示ＤＡ＿ａ１、ＤＡ＿ａ３、ＤＡ＿ａ５、・・・は、例えば店の陳列棚の商品イメージを表示しているが、この商品イメージの間の表示ＤＡ＿ａ２、ＤＡ＿ａ４、・・・は、全領域が例えば黒表示（特殊表示）である。このように通常画像表示状態から全面黒への表示切替えが行われることで、表示装置のアイキャッチ効果、つまり目立ち効果を高めることができる。そして店の商品陳列棚において、商品に対する顧客の注意をひきつけることができる。
【００３１】
図６Ｂは、一実施形態により表示パネルＰＮＬの表示エリアＤＡに特殊表示がなされた際の他の例を示す。表示エリアＤＡの表示状態は、表示ＤＡ＿ｂ１、ＤＡ＿ｂ２、ＤＡ＿ｂ３、ＤＡ＿ｂ４、ＤＡ＿ｂ５、・・・と時間経過とともに変化している。表示ＤＡ＿ｂ１、ＤＡ＿ｂ３、ＤＡ＿ｂ５、・・・は、例えば店の陳列棚の商品イメージを表示しているが、この商品イメージの間の表示ＤＡ＿ｂ２、ＤＡ＿ｂ４、・・・は、全領域が例えば白表示（特殊表示）である。この表示も先の例と同様な効果を得ることができる。
【００３２】
図６Ｃは、一実施形態により表示パネルＰＮＬの表示エリアＤＡに特殊表示がなされた際のさらに他の例を示す。表示エリアＤＡの表示状態は、表示ＤＡ＿ｃ１、ＤＡ＿ｃ２、ＤＡ＿ｃ３、ＤＡ＿ｃ４、ＤＡ＿ｃ５、・・・と時間経過とともに変化している。表示ＤＡ＿ｃ１、ＤＡ＿ｃ３、ＤＡ＿ｃ５、・・・は、通常表示であるが、この表示間の表示ＤＡ＿ｃ２、ＤＡ＿ｃ４、・・・は、色反転表示を行っている。この種の表示も先の例と同様な効果を得ることができる。
【００３３】
上記したように、本実施形態によると、表示素子が液晶表示素子ＬＱであり、表示領域ＤＡを、画素のドットマトリクスで画像を表示する通常の第１表示状態から、特殊な表示状態である第２表示状態にする。その際に、第１駆動線及び第２駆動線に複数の表示素子ＬＱの光遮光電位である第２モード、及び、第１駆動線及び第２駆動線に複数の表示素子ＬＱの光透過電位を供給する第３モード等の特殊な表示状態に切り替えを行うことが出来る。この場合、モード制御回路１２１１は、表示素子の共通電極に与えられている信号の電圧波形（図４に示すような連続した電圧パターン）に対して、該表示素子の画素電極ＰＥに与える表示信号又は非表示信号の電圧波形を切り替えることで、第１モードから、第２モード、又は、第３モードへの切り替えを行っている。ここでモード制御回路１２１１が設定する前記第２表示状態は、メモリＭ０の出力データを反転した反転データに対応する第２表示状態を得ることも可能である。
【００３４】
図７は、図６Ａ−図６Ｃに示すような表示を実現するための回路例を示している。上記した特殊表示は、駆動回路１２０の特徴的な動作により実現されている。駆動回路１２０は、ＣＰＵ１３０からの指令に基づいて動作する。ＣＰＵ１３０は、外部から無線又は無線通信で受信部１０に送信された指令、或いはタイマー（カウンタと称してもよい）１３１からの指令に基づいて、駆動回路１２０の特殊動作の開始と終了を制御することができる。
【００３５】
ＣＰＵ１３０から副画素に対するデータ書き込み指令がなされた場合、記憶制御回路１２１２が起動し、副画素のメモリに対するデータ書き込みが実行される。記憶制御回路１２１２は、ゲート線駆動回路、信号線駆動回路を制御し、各副画素のメモリにデータ書き込みを行う。
【００３６】
画像表示状態において、ＣＰＵ１３０からモード制御回路１２１１にモード指定信号が入力したとする。すると、モード制御回路１２１１は、表示制御回路１２１３を制御する。即ち、モード制御回路１２１１は表示制御回路１２１１のスイッチ制御回路ＳＷ_ｃｏｎｔに対してスイッチ制御信号を与える。
【００３７】
表示制御回路１２１３は、スイッチＳＷａ、ＳＷｂ、ＳＷｃ、ＳＷｄを備える。スイッチＳＷａ、ＳＷｂ、ＳＷｃ、ＳＷｄには、交流の共通電極駆動信号が入力している。共通電極駆動信号は、共通電極制御回路１２１５からの交流信号が、インバータ１２１６で反転されたもの（共通電極第１駆動信号と称する）と、さらにこの反転信号をインバータ１２１７で反転したもの（共通電極第２駆動信号と称する）とが存在する。
【００３８】
共通電極第１駆動信号は、スイッチＳＷｂ、ＳＷｄの入力端子に供給され、共通電極第２駆動信号は、スイッチＳＷａ、ＳＷｃの入力端子に供給される。
【００３９】
スイッチＳＷａ、スイッチＳＷｂの出力端子は、共通に第１信号ラインＰｏａに接続され、出力信号は、第１信号（表示用信号又は非表示用信号）ｘＦＲＰとして利用される。一方で、スイッチＳＷc、スイッチＳＷｄの出力端子は、共通に第２信号ラインＰｏｂに接続され、出力信号は、第２信号（非表示用信号又は表示用信号）ＦＲＰとして利用される。
【００４０】
上記したようにモード制御回路１２１１は、内部カウンタ及び又は外部からの制御信号に基づいて、第２表示状態の持続時間及び又は繰り返し周波数を設定することができる。
【００４１】
図８は、駆動回路１２０のスイッチＷａ、ＳＷｂ、ＳＷｃ、ＳＷｄの制御状態の一例を示している。表示装置の表示状態が第１表示状態であるときは、スイッチＳＷａはオフ、スイッチＳＷｂはオン、スイッチＳＷｃはオン、スイッチＳＷｄはオフである。このときは、第１駆動線に供給される信号ｘＦＲＰは共通信号ＶＣＯＭとは逆極性方向（逆位相或いは逆方向電位）で変化する交流信号となる。また第２駆動線に供給される信号ＦＲＰは共通信号ＶＣＯＭと同極性方向（同位相或いは同方向電位）で変化する交流信号となる。
【００４２】
ここで、図６Ａに示した表示ＤＡ＿ａ２、ＤＡ＿ａ４を得るときは、スイッチＳＷａはオン、スイッチＳＷｂはオフ、スイッチＳＷｃはオン、スイッチＳＷｄはオフとなる。このときは、第１駆動線に供給される信号ｘＦＲＰと第２駆動線に供給されるＦＲＰの両方が共通信号ＶＣＯＭとは同極性方向（同位相或いは同方向電位）で変化する交流信号となる。このために、メモリのデータに関係なく表示素子に表示用電位が供給されなくなり、表示エリアＤＡ全体が一斉に黒表示状態となる。
【００４３】
図６Ｂに示した表示ＤＡ＿ｂ２、ＤＡ＿ｂ４を得るときは、スイッチＳＷａはオフ、スイッチＳＷｂはオン、スイッチＳＷｃはオフ、スイッチＳＷｄはオンとなる。このときは、第１駆動線に供給される信号ｘＦＲＰと第２駆動線に供給されるＦＲＰの両方が共通信号ＶＣＯＭとは逆極性方向（逆位相或いは逆方向電位）で変化する交流信号となる。このために、メモリのデータに関係なく表示素子に表示用電位が供給され、表示エリアＤＡ全体が一斉に白表示状態となる。
【００４４】
図６Ｃに示した表示ＤＡ＿ｃ２、ＤＡ＿ｃ４を得るときは、スイッチＳＷａはオン、スイッチＳＷｂはオフ、スイッチＳＷｃはオフ、スイッチＳＷｄはオンとなる。このときは、第１表示状態での、第１駆動線に供給される信号ｘＦＲＰと第２駆動線に供給されるＦＲＰの両方が、反転されて出力されることになる。よって、表示状態は白黒反転表示となる。
【００４５】
図９は、絵柄が白黒表示されている（通常表示と称する）期間ｔ１１〜ｔ１２と、全画面黒表示に変化した期間ｔ１２〜ｔ１３と、全画面白表示に変化した期間ｔ１３〜ｔ１４、反転表示期間ｔ１４〜ｔ１５を示している。それぞれの期間において、図８に示すテーブルに記載されているように、表示制御回路１２１３内のスイッチＳＷａ〜ＳＷｄの状態が制御される。この制御により、信号ＦＲＰ，ｘＦＲＰの極性変化が切り替わる。
【００４６】
白黒の絵柄の通常表示期間ｔ１１〜ｔ１２では、副画素の画素電極には、メモリ出力に応じた表示用の電圧が供給される。これに対して、期間ｔ１２〜ｔ１３である黒表示の期間は、画面全体に対して、信号ｘＦＲＰの電圧と共通信号ＶＣＯＭの電圧との差が最小となるように信号ｘＦＲＰの極性変化がセットされる。次の期間ｔ１３〜ｔ１４である白表示の期間は、画面全体に対して、信号ｘＦＲＰの電圧と共通信号ＶＣＯＭの電圧との差が最大となるように信号ｘＦＲＰの極性変化がセットされる。次の白黒反転期間（白黒反転した絵柄の表示期間）では、通常表示期間に対して、信号ｘＦＲＰと、信号ＦＲＰの電圧の極性変化が、逆の位相である。なお、共通信号ＶＣＯＭ、ｘＶＣＯＭの位相（電位変化）は変化することはない。
【００４７】
図９では、絵柄が白黒表示される場合を説明した。しかし、後で説明するようにカラー表示装置においても、白黒表示装置の場合と同様な考え方で、単色表示を、反転表示を実現することができる。
【００４８】
図１０は表示パネルＰＮＬの制御装置ＣＰに対してフレキシブル基板３０１を介して外部装置（ホストコンピュータと称してもよい）３００が接続された様子を示している。外部装置３００は、図７で示した受信部１０を備え、例えばリモートコントローラ１１から無線通信で送信された操作信号を受信することができる。操作信号としては、例えば、図６Ａ−図６Ｃに示した特殊表示が実行される頻度及び又は周波数を決めるための信号、特殊表示を即実行させるための信号、図６Ａ−図６Ｃに示した特殊表示のいずれを実行させるのかを決めるための選択信号、などがある。またリモートコントローラ１１からの操作信号により、自動的に特殊表示を行わせるために、実行頻度指令情報がタイマー１３１（図７参照）に設定されてもよい。
【００４９】
図１１は、他の実施形態である。即ち、本発明は、上記実施形態に限定されるものでなく、種々の変形例が可能である。図７と同一部分には同一符号を付して説明は省略する。この実施形態は、同じ構成の表示制御回路１２１３ａ〜１２１３ｄが複数用意されている。そして複数の表示制御回路１２１３ａ〜１２１３ｄは、それぞれから独自に第１信号（表示用信号又は非表示用信号）ｘＦＲＰ、第２信号（非表示用信号又は表示用信号）ＦＲＰを出力することができる。
【００５０】
ここで表示パネルＰＮＬの表示領域は、複数（例えば４つ）の表示領域ＤＡ１，ＤＡ２，ＤＡ３，ＤＡ４に分割され、分割されて表示駆動されることが可能である。このために表示領域の一部分を第２表示状態に変更することが可能である。例えば、表示制御回路１２１３ａにより表示領域ＤＡ１を第２表示状態、表示制御回路１２１３ｂ〜１２１３ｄにより、表示領域ＤＡ２、ＤＡ３、ＤＡ４を第１表示状態にすることができる。また、応用例として、ある時間帯では、表示制御回路１２１３ｂにより表示領域ＤＡ２を第２表示状態、表示制御回路１２１３ａ、１２１３ｃ、１２１３ｄにより、表示領域ＤＡ１、ＤＡ３、ＤＡ４を第１表示状態にすることができる。さらにまた別の時間帯では、表示制御回路１２１３ｃにより表示領域ＤＡ３を第２表示状態、表示制御回路１２１３ａ、１２１３ｂ、１２１３ｄにより、表示領域ＤＡ１、ＤＡ２、ＤＡ４を第１表示状態にすることができる。
【００５１】
図１２Ａ，図１Ｂは、図１０に示した実施例により画像表示が制御された例を示している。図１１Ａにおいて、表示エリアＤＡの表示状態は、表示ＤＡ＿ｅ１〜ＤＡ＿ｅ５と変化している。ここで各表示には、一部の領域に第２表示状態が含まれている。表示ＤＡ＿ｅ１〜ＤＡ＿ｅ５のそれぞれにおいて、特殊表示領域は、例えば表示領域ＤＡ１，ＤＡ２，ＤＡ３，ＤＡ４，ＤＡ１、・・・・に黒表示が実現されている。
【００５２】
図１２Ｂにおいては、各表示ＤＡ＿ｅ１〜ＤＡ_ｅ５のそれぞれにおいて、一部の領域に第２表示状態が含まれているが、表示ＤＡ＿ｅ１〜ＤＡ_ｅ５のそれぞれにおいて、特殊表示は、白表示がなされている。即ち、表示領域ＤＡ１，ＤＡ２，ＤＡ３，ＤＡ４，ＤＡ１、・・・・と白表示が実現されている。
【００５３】
このように特殊表示が行われることで、表示装置のアイキャッチ効果、つまり目立ち効果を高めることができる。そして店の商品陳列棚において、商品に対する顧客の注意をひきつけることができる。
【００５４】
上記したように、表示装置は、画像データに応じたデジタル信号が供給されるデジタル信号線Ｓと、前記デジタル信号を記憶し、画素に配置されたメモリＭ０と有する。第１表示状態においては、第１駆動線（Ｐｏａ）は、前記メモリに記憶された前記デジタル信号に応じて選択され、第１信号を供給し、第２駆動線（Ｐｏｂ）は、前記メモリに記憶された前記デジタル信号に応じて選択され、第２信号（ＦＲＰ）を供給する。
【００５５】
例えば、図５において、画素電位選択回路ＰＳは、前記画素電極に電気的に接続され、前記第１信号又は前記第２信号を前記画素電極に選択的に供給する。そして共通電極が前記画素電極と対向し、共通信号が供給され、前記画素電極との間で液晶層を駆動する電界を発生させる。ここでこの表示装置におけるモード制御回路は、前記メモリに前記デジタル信号を記憶させる記憶期間と、前記メモリに記憶された前記デジタル信号に応じて、前記ゲート回路が前記第１信号又は前記第２信号を前記画素電極に選択的に供給する表示期間と、をセットし、前記表示期間に前記第１信号又は前記第２信号の電圧波形を他の電圧波形に切り替え第２表示状態を設定する。
【００５６】
図１３は、さらに他の実施形態である。この実施形態は、カラー副画素を備える表示装置である。符合Ｒ，Ｇ，Ｂが付されているカラー副画素は、それぞれ赤、緑、青のフィルタを備えるカラー副画素である。各副画素の基本構成は、同じであり、対応するカラーフィルタが異なる。カラー副画素Ｒの場合、メモリＭ０には、スイッチＳＷ０を介して信号線Ｓ１から赤用のデータが書き込まれる。メモリＭ０に対するデータ書き込み動作及び書き込み後の表示動作は、図２Ａ，図２Ｂ及び図３で説明したとおりである。カラー副画素ＲのメモリＭ０からの信号が、カラー副画素Ｒの画素電極ＰＥに供給されるときは、スイッチＳＷ３ｒを介して供給される。またカラー副画素ＧのメモリＭ０からの信号が、カラー副画素Ｇの画素電極ＰＥに供給されるときは、スイッチＳＷ３ｇを介して供給される。さらにまたカラー副画素ＢのメモリＭ０からの信号が、カラー副画素Ｂの画素電極ＰＥに供給されるときは、スイッチＳＷ３ｂを介して供給される。スイッチＳＷｒ、ＳＷ３ｇ、ＳＷ３ｂは、それぞれ制御用のゲート信号Ｇａｔｅ＿ｒ、Ｇａｔｅ＿ｇ、Ｇａｔｅ＿ｂにより制御される。スイッチＳＷ３ａ，ＳＷ３ｇ，ＳＷ３ｂは、それぞれ対応するメモリ出力と、第１信号ｘＦＲＰと、第２信号ＦＲＰのいずれかを制御用のゲート信号Ｇａｔｅ＿ｒ、Ｇａｔｅ＿ｇ、Ｇａｔｅ＿ｂにより選択することができる。
【００５７】
上記した表示装置において、今、カラー画像表示状態にあるものとする。図１３のスイッチＳＷ３ｒ、ＳＷ３ｇ、ＳＷ３ｂの状態は、対応するメモリに記憶されているデータに応じて信号ｘＦＲＰ或いはＦＲＰを選択する。各カラー副画素は、対応するメモリからの出力データに応じて表示状態、あるいは非表示状態に変化し、全体領域として、カラー表示を実現する。今、表示領域の画像は、第１表示状態であり、カラー画像を表示しているものとする。ここで例えば表示領域を単色画像（例えば一面が赤になるような画像）にしたいとする。つまりこの場合は、図１３に示されるように、カラー副画素Ｇ、ＢのスイッチＳＷ３ｇ、ＳＷ３ｂの選択状態を一斉にＦＲＰ側に切り替え、カラー副画素ＲのスイッチＳＷ３ｒを一斉にｘＦＲＰ側に切り替えればよい。また、表示状態にするＲ、Ｇ、Ｂの組み合わせに応じて、シアン、マゼンタを一斉表示することも可能である。
【００５８】
図１４Ａは、図１２の画素を使用した表示装置において特殊表示がなされた際の表示例を示す。この表示例は、例えばカラー画像を表示した表示ＤＡ＿ａ１、ＤＡ＿ａ３、ＤＡ＿ａ５と、特殊表示（この場合は、例えば一斉に赤単色の画面）に切り替えた表示ＤＡ＿ａ２、ＤＡ＿ａ４の例を示している。
【００５９】
図１４Ｂは、特殊表示がなされた際の他の表示例を示す。この表示例は、例えばカラー画像を表示した表示ＤＡ＿ｂ１、ＤＡ＿ｂ３、ＤＡ＿ｂ４と、特殊表示（この場合は、例えば一斉に赤単色の画面）に切り替えた表示ＤＡ＿ｂ２、ＤＡ＿ｂ４の例を示している。
【００６０】
図１４Ｃは、特殊表示がなされた際のさらに他の表示例を示す。この表示例は、例えばカラー画像を表示した表示ＤＡ＿ｃ１、ＤＡ＿ｃ３、ＤＡ＿ｃ４と、特殊表示（この場合は、例えば一斉に赤単色の画面）に切り替えた表示ＤＡ＿ｃ２、ＤＡ＿ｃ４の例を示している。
【００６１】
上記したようにモード制御回路１２１１は、表示装置の表示領域の全体を前記第２表示状態にすることができる。またモード制御回路１２１１は、表示装置の表示領域の一部の領域を前記第２表示状態にすることができる。さらに、表示装置は、図１１を参考に赤、緑、青の各副画素内で、ＦＲＰ，ｘＦＲＰを分割した表示制御回路を有していても良い。これによって、モード制御回路１２１１は、表示装置の表示領域の一部の領域を前記第２表示状態にし、かつ前記一部の領域を異なる領域に変化させることもできるし、また単色表示に切り替えることもできる。即ち、複数の表示素子は、赤、緑、青フィルタに対応し、第２表示状態は、赤、緑、青、黒又は白の単色表示状態を含むものである。
【００６２】
上記した表示装置において、画素回路は、画像データに応じたデジタル信号が供給されるデジタル信号線Ｓと、前記デジタル信号を記憶し、画素に配置されたメモリＭ０と、前記メモリＭ０に記憶された前記デジタル信号に応じて選択され、第１信号ｘＦＲＰを供給する第１駆動線Ｐｏａと第２信号ＦＲＰを供給する第２駆動線Ｐｏｂとを備える。さらに画素回路は、画素電極ＰＥに電気的に接続され、前記第１信号又は前記第２信号を前記画素電極に選択的に供給するゲート回路ＧＳと、前記画素電極と対向し共通信号が供給され、前記画素電極との間で液晶層を駆動する電界を発生させる共通電極ＣＥを有する。
【００６３】
そして、表示制御回路１２１３は、メモリＭ０にデジタル信号を記憶させる記憶期間と、メモリＭ０に記憶された前記デジタル信号に応じて前記ゲート回路が前記第１信号又は前記第２信号を前記画素電極に選択的に供給する表示期間とをセットする。そして、表示装置は、前記表示期間に、前記画像データを表示する表示領域の画像を変更する。具体的手段としては、例えば、表示期間に前記第１信号又は前記第２信号の電圧波形を他の電圧波形に切り替え第２表示状態を設定することができる。
【００６４】
上記表示装置は、前記第１モードにおいて、前記第１信号の電位は光透過電位であり、前記第２信号の電位は光遮蔽電位であり、前記第２モード（白反転モード）において、前記第１信号の電位及び前記第２信号の電位は、光透過電位である。そして前記モード制御回路が、前記表示期間において前記第１モードから前記第２モードに切り替える。つまり、第１モードから第２モードへ切り替えることで、白画像を用いた画像の点滅表示を行うことが出来る。
【００６５】
また上記表示装置は、第１モードと、第３モード（例えば黒反転表示モード）とを有する。そして、前記第１モードにおいて、前記第１信号の電位は光透過電位であり、前記第２信号の電位は光遮蔽電位である。そして、前記第３モードにおいて、前記第１信号の電位及び前記第２信号の電位は、光遮蔽電位である。ここで、モード制御回路１２１１が、前記表示期間において前記第１モードから前記第３モードに切り替えることができる。つまり、第１モードから第３モードへ切り替えることで、黒画像を用いた画像の点滅表示を行うことが出来る。また、第１モード、第２モード及び第３モード間で相互に切り替えることで白、黒画像を用いた画像の点滅表示を行うことが出来る。
【００６６】
さらにまた表示装置は、第１モードと、第２モードとを有し、前記第１モードにおいて、前記第１信号は前記共通信号とは異なる信号であり、前記第２信号は共通信号と同一信号である。前記第２モード（白反転）において、前記第１信号及び前記第２信号は前記共通信号とは異なる信号であり、前記モード制御回路１２１１が、前記表示期間において前記第１モードから前記第２モードに切り替えることができる。
【００６７】
また表示装置は、第１モードと、第３モードとを有し、前記第１モードにおいて、前記第１信号は前記共通信号とは異なる信号であり、前記第２信号は共通信号と同一信号である。前記第３モード（黒反転）において、前記第１信号及び前記第２信号は前記共通信号と同じ信号であり、前記モード制御回路１２１１が、前記表示期間において前記第１モードから前記第３モードに切り替えることができる。
【００６８】
さらにまた表示装置は、第１モードと、第４モード（ネガティブとポジティブ表示の切り替え状態）とを有し、前記第１モードにおける前記第１信号と、前記４モードにおける第２信号が同一の信号である。そして前記第４モードにおける前記第１信号と、前記１モードにおける第２信号が同一の信号であり、前記モード制御回路が、前記表示期間において前記第１モードから前記第４モードに切り替えることができる。
【００６９】
図１５は、図１３に示したカラー表示装置の変形例である。図１５の実施形態は、図１３の実施形態に比べて、色フィルタの種類と配列が異なる。他の部分は、図１３に示す実施形態とほぼ同じである。図１５の実施形態においては、第１行を第１方向に見た場合、色フィルタがＲ、Ｇ、Ｂ、Ｒ、Ｇ、Ｗ、・・・の繰り返しであり、第２行を第１方向に見た場合、色フィルタがＲ、Ｇ、Ｗ、Ｒ、Ｇ、Ｂ、・・・の繰り返しである。即ち、第１列は、Ｒ、Ｒ、Ｒ、Ｒ、・・・・、第２列は、Ｇ、Ｇ、Ｇ、Ｇ、・・・・、第３列は、Ｂ、Ｗ、Ｂ、Ｗ、・・・・、第４列は、Ｗ、Ｂ、Ｗ、Ｂ、・・・・、と配列されている。この種の表示装置においても、本発明は適用可能である。
【００７０】
上記したようにカラー表示装置においても、スイッチＳＷｒ、ＳＷｇ、ＳＷｂを制御して、白黒表示装置の場合と同様な考え方で、単色表示、反転表示等を実現することができる。
【００７１】
図１６、図１７はさらに他の実施形態であり、カラー表示装置と駆動回路を構成している。図１３及び図７の実施形態と同一部分は同一符号を付し、図１６では、１行分の副画素配列のうち赤の副画素、緑の副画素、青の副画素の回路構成を示している。図１３の実施形態では、複数の副画素を一斉駆動できる信号ｘＦＲＰ、ＦＲＰの系統が一つであった。しかしこの実施形態では、例えば赤の副画素のみを一斉駆動する信号ｘＦＲＰｒ、ＦＲＰｒの系統と、緑の副画素のみを一斉駆動する信号ｘＦＲＰｇ、ＦＲＰｇの系統と、青の副画素のみを一斉駆動する信号ｘＦＲＰｂ、ＦＲＰｂの系統との３つの系統が存在する。
【００７２】
この実施形態の場合、各副画素が図７で説明した駆動回路と同様な方法で駆動される。即ち、画面が例えば通常表示状態から赤の単色表示状態に移行する場合は、信号ｘＦＲＰｒとＦＲＰｒの電圧波形が、例えば図８のテーブルの白表示状態のスイッチ選択モードにより出力される。このとき他の緑の副画素及び青の副画素に対応する信号ｘＦＲＰｇ、ＦＲＰｇと信号ｘＦＲＰｂ、ＦＲＰｂの電圧波形は、例えば図８のテーブルの黒表示状態の行のスイッチ選択モードにより出力される。画面が通常表示状態から緑の単色表示状態に移行する場合は、信号ｘＦＲＰｇとＦＲＰｇの電圧波形が例えば図８のテーブルの白表示状態のスイッチ選択モードにより出力される。このとき他の赤の副画素及び青の副画素に対応する信号ｘＦＲＰｒ、ＦＲＰｒと信号ｘＦＲＰｂ、ＦＲＰｂの電圧波形は、例えば図８の黒表示状態のスイッチ選択モードにより出力される。また、画面が通常表示状態から青の単色表示状態に移行する場合は、信号ｘＦＲＰｂとＦＲＰｂの電圧波形が例えば図８のテーブルの白表示状態のスイッチ選択モードにより出力される。このとき他の赤の副画素及び緑の副画素に対応する信号ｘＦＲＰｒ、ＦＲＰｒと信号ｘＦＲＰｇ、ＦＲＰｇの電圧波形は、例えば図８の黒表示状態のスイッチ選択モードにより出力される。
【００７３】
この実施形態の場合、全画面黒表示状態では、Ｒ、Ｇ及びＢの副画素がすべてオフ状態（黒表示状態）となり、全画面白表示状態では、Ｒ、Ｇ及びＢの副画素がすべてオン状態（白表示状態）となる。図１３のカラー表示装置も、同様に、全画面黒表示状態では、Ｒ、Ｇ及びＢの副画素がすべてオフ状態（黒表示状態）となり、全画面白表示状態では、Ｒ、Ｇ及びＢの副画素がすべてオン状態（白表示状態）となる。
【００７４】
図１７は、図１６に示したカラー表示装置を駆動する駆動回路の一例である。図１７は、図７で説明した駆動回路１２０に似ている。したがって、図７と同様なブロックには、図７と同一符号を付して説明を省略する。この実施形態は、赤の副画素の表示状態を制御する表示制御回路１２１３ｒ、緑の副画素の表示状態を制御する表示制御回路１２１３ｇ及び青の副画素の表示状態を制御する表示制御回路１２１３ｂを有する。図１７では、表示制御回路１２１３ｒの構成を代表して表している。それぞれの表示制御回路１２１３ｒ、１２１３ｇ、１２１３ｂにより、対応する赤、緑、及び青の副画素を一斉駆動することができる。表示制御回路１２１３ｒ、１２１３ｇ、１２１３ｂは、それぞれ信号ｘＦＲＰｒ、ＦＲＰｒ、信号ｘＦＲＰｇ、ＦＲＰｇ、信号ｘＦＲＰｂ、ＦＲＰｂを出力する。そして、この信号ｘＦＲＰｒ、ＦＲＰｒ、信号ｘＦＲＰｇ、ＦＲＰｇ、信号ｘＦＲＰｂ、ＦＲＰｂが、図１６に示したように、対応する副画素を駆動する駆動信号となる。
【００７５】
図１８Ａ、図１８Ｂは、上記した実施形態を適用した値札装置４０１の外観を示している。この値札装置４０１は、広告情報掲載用として利用される。値札装置４０１の表示パネルの画像は、上記した実施形態により通常表示状態（第１表示状態）、特殊表示状態（第２表示状態）に表示制御される。図１８Ａの例は、通常表示状態であり、例えば、商品の価格が２３０円から１９８円に変更された様子を示している。また図１８Ｂの例は、通常表示状態から特殊表示状態（この場合は、全面黒表示）に切り替わった例である。
【００７６】
この発明は、上記の実施形態に限定されるものでは無い。先の実施形態では、絵柄や背景画像の階調については特に説明をしていない。しかしこの発明は、絵柄や背景画像に階調を付けて表示が可能な表示装置に適用することができる。
【００７７】
図１９Ａに示す、サブ画素ＰＸ（Ｙ）は、例えば３つの画素電極ＰＥ（ＹＡ）、ＰＥ（ＹＢ）、ＰＥ（ＹＣ）を有する。それぞれの画素電極ＰＥ（ＹＡ）、ＰＥ（ＹＢ）、ＰＥ（ＹＣ）を有する画素が独立してオンオフ制御されることができ、これにより、サブ画素ＰＸ（Ｙ）全体としては階調（輝度と称してもよい）を変化させることができる。画素電極ＰＥ（ＹＡ）、ＰＥ（ＹＢ）、ＰＥ（ＹＣ）は、互いに面積が異なる。すると、図１９Ｂに示すように、画素電極ＰＥ（ＹＡ）、ＰＥ（ＹＢ）、ＰＥ（ＹＣ）を有する画素が独立してオンオフ制御されることで、８種類の階調Ｙ１〜Ｙ９を表すことができる。
【００７８】
ここで、画素電極ＰＥ（ＹＡ）、ＰＥ（ＹＢ）、ＰＥ（ＹＣ）を有する各画素は、独立してメモリを有するものとする。そして各画素の動作原理は、図３、図４で説明したとおりであるものとする。
【００７９】
図２０Ａは、表示パネルＰＮＬに背景画（左右の暗い領域ＩＭＧ１、ＩＭＧ２）と絵柄（縦の明るい帯の領域ＩＭＧ３）が表示された例を示している。また、表示領域に横方向に１つの画素配列ラインＨＬｎを模擬的に示している。画素配列ラインＨＬｎには、画素ＰＸ１〜ＰＸ１０が含まれているものとする。ここで、画素ＰＸ１〜ＰＸ４は、領域ＩＭＧ１に属し、画素ＰＸ７〜ＰＸ１０は、領域ＩＭＧ２に属し、画素ＰＸ５、ＰＸ６は、領域ＩＭＧ３に属する例が示されている。またこの例では、画素ＰＸ１〜ＰＸ４の領域ＩＭＧ１と画素ＰＸ７〜ＰＸ１０の領域ＩＭＧ３が、階調階調Ｙ３（やや暗い）であり、画素ＰＸ５、ＰＸ６の領域ＩＭＧ３は、階調Ｙ６（やや明るい）の例が示されている。階調は、メモリ群ＭＧのデータ（図１９Ｂ参照）の値に応じて決定される。
【００８０】
ここでアイキャッチのために全画面を黒に変化させる制御が行われると、図２０Ｂに示すように表示パネルＰＮＬの画面全体が黒表示となる。このときは、メモリ群ＭＧの記憶データとは関係なく、信号ｘＦＲＰと共通信号ＶＣＯＭにより全画素が駆動される。
【００８１】
各実施形態に記載された表示装置は、広告情報掲載用の表示装置であると好ましい。広告情報としては、商品や商品の価格映像が挙げられる。各実施形態に記載された発明により、メモリＭ０に記憶された信号を変更することなく、白又は黒点滅等の特殊な第２表示状態に移行することが可能であり、電力消費を抑制しつつ、アイキャッチ性を高めた表示を行うことが出来る。
【００８２】
また、第２表示状態への移行は、無線通信を用いた遠隔操作で行うことで、店内の離れた場所から特定の表示装置を第２表示状態に移行させることが出来る。販売店の敷地が大きい場合や、販売店が表示装置を多数有している場合に、表示装置付近の場所まで移動し、表示状態を変更する手間を削減できる。特に、図１８Ａ、図１８Ｂのように商品の値札として本発明の表示装置を利用する場合、値札は商品ごとに設置されていることから、表示装置の数は膨大になる。遠隔操作で表示状態を制御すれば、何度も表示装置付近まで移動する手間を削減できる。
【００８３】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８４】
ＰＮＬ・・・表示パネル、ＳＵＢ１・・・第１基板、ＳＵＢ２・・・第２基板、ＬＱ・・・液晶層、ＰＸ（ＰＸ１１，ＰＸ１２，・・・・）・・・副画素、ＤＡ・・・表示画素、Ｓ（Ｓ１〜Ｓｍ）・・・信号線、Ｇ（Ｇ１〜Ｇｎ）・・・ゲート線、ＧＤ・・・ゲート線駆動回路、ＳＤ・・・ソース線駆動回路、ＣＰ・・・制御装置、１１０・・・信号供給回路、１２０・・・駆動回路、１３０・・・ＣＰＵ、１２１１・・・モード制御回路、１２１２・・・記憶制御回路、１２１３・・・表示制御回路、Ｍ０・・・メモリ。
【図１】
2017083768.tif 000003
【図２Ａ】
2017083768.tif 000004
【図２Ｂ】
2017083768.tif 000005
【図３】
2017083768.tif 000006
【図４】
2017083768.tif 000007
【図５】
2017083768.tif 000008
【図６Ａ】
2017083768.tif 000009
【図６Ｂ】
2017083768.tif 000010
【図６Ｃ】
2017083768.tif 000011
【図７】
2017083768.tif 000012
【図８】
2017083768.tif 000013
【図９】
2017083768.tif 000014
【図１０】
2017083768.tif 000015
【図１１】
2017083768.tif 000016
【図１２Ａ】
2017083768.tif 000017
【図１２Ｂ】
2017083768.tif 000018
【図１３】
2017083768.tif 000019
【図１４Ａ】
2017083768.tif 000020
【図１４Ｂ】
2017083768.tif 000021
【図１４Ｃ】
2017083768.tif 000022
【図１５】
2017083768.tif 000023
【図１６】
2017083768.tif 000024
【図１７】
2017083768.tif 000025
【図１８Ａ】
2017083768.tif 000026
【図１８Ｂ】
2017083768.tif 000027
【図１９Ａ】
2017083768.tif 000028
【図１９Ｂ】
2017083768.tif 000029
【図２０Ａ】
2017083768.tif 000030
【図２０Ｂ】
2017083768.tif 000031